(57)【要約】  【課題】  モジュール用コネクタであって、モジュールの接点部とコンタクト端子の接点部との接触圧を高くし、且つ、モジュールの傾きやガタツキを抑制して安定した接触を確保できるようにする。  【解決手段】  四角形状に形成されたモジュール１５を受け入れて電気的に結合するモジュール用コネクタ１であって、該モジュール用コネクタ１はモジュール１５を受け入れるためのモジュール収容部５を有する前面開放の略桝形のハウジング２と、該ハウジング２に設けられている多数のコンタクト端子３，３…とから成るモジュール用コネクタ１において、前記コンタクト端子３，３…の接点部３ｄ，３ｄ…が前記モジュール収容部５を形成するハウジング２の背板内側面に横一列に配設されていることを特徴とするモジュール用コネクタ。【選択図】図２
2008027875.tif 000002
【特許請求の範囲】
【請求項１】
前面開放のモジュール収容部を有する桝形ハウジングと、該ハウジングに設けたコンタクト端子と、前記モジュール収容部内に収容されるモジュールの固定手段とから成るモジュール用コネクタにおいて、コンタクト端子をモジュール収容部の一部を形成する背板内側面に、該モジュール収容部の一部を形成する左右一対の側板と平行で、且つ、同一方向から横一列に配設したことを特徴とするモジュール用コネクタ。
【請求項２】
上記各コンタクト端子を、該コンタクト端子の接点部が、上記モジュール収容部内における背板内側面の中央部に横一列に配設されたことを特徴とする請求項１記載のモジュール用コネクタ。
【請求項３】
上記コンタクト端子はモジュール収容部の一部を形成する背板内側面より直角方向に弾性力が負荷されるように配設されたことを特徴とする請求項１又は２記載のモジュール用コネクタ。
【請求項４】
上記モジュールが該モジュール収容部に差し込まれるときには、モジュール収容部の一部を形成するハウジングの左右側板の内側面に設けた凹部に弾性変形して押し込まれ、前記モジュールがモジュール収容部内の所定の位置まで差し込まれると、弾性復元力により前記左右の側板に設けた凹部から脱して前記モジュールの前端部に設けてある係止部と係合し、該モジュールを該モジュール収容部内に固定できるように形成された弾性保持片を、前記ハウジングの左右側板の内側面四隅に設けたことを特徴とする請求項１，２又は３記載のモジュール用コネクタ。
【請求項５】
上記弾性保持片を、上記ハウジングを被覆しているシールドケースと同一部材で一体に形成したことを特徴とする請求項４記載のモジュール用コネクタ。
【発明の詳細な説明】
【技術分野】
【０００１】
本発明はモジュール用コネクタに関し、特に、ゲーム機用モジュールをプリント配線基板に連結するためのモジュール用コネクタに関するものである。
【背景技術】
【０００２】
従来、ゲーム機等の電子機器は、その内部にプリント配線基板を備え、該プリント配線基板にゲーム機用モジュール等の電子部品を取り付けるようになっている。又、熱に弱い電子部品は直接半田付けによって取り付けることができないので、モジュール用コネクタを用いてプリント配線基板に接続するようにしている。（例えば、特許文献１参照）。
【０００３】
而して、特許文献１記載のモジュール用コネクタは、上面開放のモジュール収容凹部を有する桝形ハウジングと、該ハウジングに設けたコンタクト端子と、前記モジュール収容凹部内に収容されるモジュールの固定手段とから成り、且つ、該コンタクト端子は弾性金属板を略１８０°折り曲げてその一端部を端子部とし、他端部をモジュールの接点部と弾接して電気的結合するための接点部が形成されている。
【０００４】
又、該コンタクト端子は前記折曲部を対峙させる如くして、モジュール収容凹部の底板両端部に設けられている各コンタクト端子挿入口から該底板中央部左右に夫々並設されているコンタクト固定溝へ前記折曲部を挿入し、そして、夫々のコンタクト端子の接点部が左右に拡開した逆八字状に形成され、そして、モジュール収容凹部内へ収容されるモジュールの各接点部に対応する前記コンタクト端子の接点部が弾性的に接続できるように構成されている。
【０００５】
又、該特許文献１記載のモジュール用コネクタはハウジング内に収容されたモジュールの固定手段として、モジュール係止具が設けられており、そして、該モジュール係止具は弾性金属板の上端部を１８０°折曲して折曲部を形成し、更に、下端部を直角に折曲して固定片とし、更に、該折曲部は折曲部位から先端まですり割が形成され、このすり割によって二つのばね部が分割され、独立したばね構造を有するように形成され、そして、該ばね部の先端部分には夫々相互の高さの異なる第１係止片と第２係止片が形成している。更に之等第１、第２係止片は下方へ向かって傾斜した摺動部が形成され、該摺動部の下端部が略水平に形成されて夫々高さの異なる係止部となっている。
【０００６】
而して、該モジュール係止具は、４箇所のモジュール係止具挿入溝から挿入される。このとき、該モジュール係止具はハウジングの左右両側板の内側面に設けられている固定溝に嵌合しつつ圧入挿入され、挿入後は前記固定片によってプリント基板等に固定される。
【特許文献１】特開２００３−９２１６８号公報
【発明の開示】
【発明が解決しようとする課題】
【０００７】
しかし、特許文献１記載の発明は、コンタクト端子が対向し合う２つの列に分かれて設けられているとともに、各列を構成しているコンタクト端子が相対向する異なる方向からハウジング内に延設されて、該ハウジングにインサートされている。このため、製造時に２つの列の間に僅かな寸法誤差が生じることがある。この寸法の僅かな違いでも製品の組み立てに大きな影響が出てしまう。
【０００８】
又、２つの列の間の寸法誤差によって各列毎での弾性力に違いが生じ、ハウジング内にモジュールを差し込んだとき、該モジュールに均等な弾性接触力が得られず、而も、適正
に該モジュールの固定手段が得られないので、ハウジング内に収容されているモジュールが傾いたりガタツキが発生しやすく、最悪の場合にはコンタクト端子との電気的接触不良を起こしてしまう問題があった。
【０００９】
更に、モジュールの固定手段としての前記モジュール係止具は構造が極めて複雑であり、且つ、このモジュール係止具によってハウジング内に収容されているモジュールの確実・適正なる固定が期待し得ないという難点もある。
【００１０】
そこで、モジュールに均等な弾性接触力が得られ、而も該モジュールのハウジング内における傾きやガタツキが抑制できるようにするために解決すべき技術的課題が生じてくるのであり、本発明はこの課題を解決することを目的とする。
【課題を解決するための手段】
【００１１】
本発明は上記目的を達成するために提案されたものであり、請求項１記載の発明は、前面開放のモジュール収容部を有する桝形ハウジングと、該ハウジングに設けたコンタクト端子と、前記モジュール収容部内に収容されるモジュールの固定手段とから成るモジュール用コネクタにおいて、コンタクト端子をモジュール収容部の一部を形成する背板内側面に、該モジュール収容部の一部を形成する左右一対の側板と平行で、且つ、同一方向から横一列に配設したモジュール用コネクタを提供する。
【００１２】
この構成によれば、複数のコンタクト端子をモジュール収容部の一部を形成する左右の側板と平行で、且つ、横一列に同一方向から配設しているので、ハウジングにコンタクト端子をインサートする際、この複数のコンタクト端子を１つの位置決め具で共通に保持して精度よく位置決めした状態でセットすることが可能になる。これにより、寸法精度が向上し、複数のコンタクト端子からモジュールの接点部に対して均等で且つ、適正な弾性接触力が付与されることが可能になる。
【００１３】
請求項２記載の発明は、上記各コンタクト端子を、該コンタクト端子の接点部が、上記モジュール収容部内における背板内側面の中央部に横一列に配設されたモジュール用コネクタを提供する。
【００１４】
この構成によれば、モジュール収容部の一部を形成する背板内側面中央部において横一列に並んだ複数のコンタクト端子から、モジュールの接点部に対して均等な弾性接触力を付与することができる。
【００１５】
請求項３記載の発明は、上記コンタクト端子はモジュール収容部の一部を形成する背板内側面より直角方向に弾性力が負荷されるように配設されたモジュール用コネクタを提供する。
【００１６】
この構成によれば、コンタクト端子からモジュールの接点部に対して、モジュール収容部の一部を形成する背板から前面側へ向かってほぼ直角に弾性力を付与するので、複数のコンタクト端子からモジュールの接点部に対して均等且つ、適正な弾性接触力を付与することができる。
【００１７】
請求項４記載の発明は、上記モジュールが該モジュール収容部に差し込まれるときには、モジュール収容部の一部を形成するハウジングの左右側板の内側面に設けた凹部に弾性変形して押し込まれ、前記モジュールがモジュール収容部内の所定の位置まで差し込まれると、弾性復元力により前記左右の側板に設けた凹部から脱して前記モジュールの前端部に設けてある係止部と係合し、該モジュールを該モジュール収容部内に固定できるように形成された弾性保持片を、前記ハウジングの左右側板の内側面四隅に設けたモジュール用
コネクタを提供する。
【００１８】
この構成によれば、モジュール収容部内に差し込まれたモジュールを弾性保持片と係止部とにより抜け止めして、該モジュールをモジュール収容部内に確実に保持しておくことができる。
【００１９】
請求項５記載の発明は、上記弾性保持片を、上記ハウジングを被覆しているシールドケースと同一部材で一体に形成したモジュール用コネクタを提供する。
【００２０】
この構成によれば、弾性保持片をシールドケースと同一部材で一体に形成することにより、ハウジング内に収容されたモジュールの四隅を均等な押圧力で保持する。
【発明の効果】
【００２１】
請求項１記載の発明は、ハウジングに対する所定の寸法精度を保って複数のコンタクト端子を同時に位置決めして設けることができるので、複数のコンタクト端子からモジュールの各接点部に対して均等且つ、適正な弾性接触力を付与することが可能になり、モジュール収容部内に差し込まれたモジュールの傾きやガタツキも同時に抑制して製品の信頼性を向上させることができる。
【００２２】
請求項２記載の発明は、複数のコンタクト端子からモジュールの接点部に対して均等且つ、適正な弾性接触力を付与することができるので、請求項１記載の発明の効果と同様に、モジュール収容部内に差し込まれたモジュールの傾きやガタツキを抑えて製品の信頼性を向上させることができる。
【００２３】
請求項３記載の発明は、コンタクト端子からモジュールの接点部に対し、ほぼ直角方向より均等な弾性接触力を付与することができるので、請求項１又は２記載の発明の効果と同様にモジュール収容部内に差し込まれたモジュールの傾きやガタツキを抑えて、製品の信頼性を向上させることができる。
【００２４】
請求項４記載の発明は、モジュール収容部内に差し込まれたモジュールを弾性保持片と係止部とにより、抜け止めして確実に保持しておくことができるので、請求項１，２又は３記載の発明の効果に加えてモジュール用コネクタとしての品質が向上し、信頼性を更に向上させることができる。
【００２５】
請求項５記載の発明は組立部品点数を低減できるので、請求項４記載の発明の効果に加えてコストダウンを図ることができると共に、ハウジング内に収容されるモジュールの四隅を均等な押圧力で保持するので、該モジュールのハウジング内における傾きやガタツキを抑制し、コネクタとしての品質性能を一層向上させることができる。
【発明を実施するための最良の形態】
【００２６】
以下、本発明のモジュール用コネクタについて、好適な実施例をあげて説明する。モジュールに均等な弾性接触力が得られ、且つ、該モジュールのモジュール収容部内における傾きやガタツキを抑えることができるようにするという目的を達成するために、前面開放のモジュール収容部を有する桝形ハウジングと、該ハウジングに設けたコンタクト端子と、前記モジュール収容部内に収容されるモジュールの固定手段とから成るモジュール用コネクタにおいて、コンタクト端子をモジュール収容部の一部を形成する背板内側面に、該モジュール収容部の一部を形成する左右一対の側板と平行で、且つ、同一方向から横一列に配設したことを特徴とするモジュール用コネクタを提供したことにより実現した。
【実施例】
【００２７】
以下、本発明のモジュール用コネクタの実施の形態を図１〜図４に基づいて説明する。図１〜図４に示されるように、本実施形態のモジュール用コネクタ１は、プリント配線基板（図示せず）上に立てて実装される縦型タイプを一例としており、ハウジング２を備え、該ハウジング２の内部に複数のコンタクト端子３，３…が配設され、該ハウジング２の外側面は金属製のシールドケース４で被覆されている。
【００２８】
ハウジング２は合成樹脂製の一体成形品であり、四角形状の背板２ａと、該背板２ａの周縁より夫々前向きに延設されている上板２ｂ、底板２ｃ、左右の側板２ｄ，２ｅとを有し、これら背板２ａ、上板２ｂ、底板２ｃ、左右の側板２ｄ，２ｅによって略四角形をした桝状の前面開放のモジュール収容部５が画成されている。
【００２９】
底板２ｃの内面における左右中央の部分には、開放端から背板２ａに向かって延びる嵌合溝６が開設され、上板２ｂ、左右の側板２ｄ，２ｅの外面には係止突起７が設けられている。背板２ａには左右の側板２ｄ，２ｅの内面に沿って縦向きに並行して、複数の端子溝８，８…が穿設されている。各端子溝８，８…にはコンタクト端子３，３…が各々配設されるもので、各端子溝８，８…の一部には図２、図４に示すように、コンタクト端子３，３…の前後方向に撓む弾性変形を許容するための長孔９が背板２ａを前後方向に貫通した状態で形成されている。
【００３０】
コンタクト端子３は弾性金属導電板材を加工成形してなり、ハウジング２を成形するときに、リード端子部３ａが底板２ｃから外方外側に向かって突出された状態でインサートされてハウジング２と一体化される。そのインサート成形時には、各コンタクト端子３，３…は底板２ｃ側において位置決め具（図示せず）で、そのリード端子部３ａを有する本体部３ｂが左右の側板２ｄ，２ｅの内面と並行で、且つ、横一列に並べられた状態で保持され、本体部３ｂが端子溝８内に沿って縦向きに配置される。その各コンタクト端子３，３…は、本体部３ｂの自由端を略Ｕ字状に折り返して弾性圧接アーム３ｃが形成されているとともに、該弾性圧接アーム３ｃの自由端に前面側に向かって弓形に突出された接点部３ｄが形成されている。そして、各コンタクト端子３，３…の接点部３ｄは図２に示すように、モジュール収容部５内において背板２ａの上下方向中央の位置で横一列に並んだ状態で配設されている。
【００３１】
シールドケース４は、金属板材を一体加工成形してなり、ハウジング２の上板２ｂの開口端面と外側面を覆って取り付けられる側面視略逆Ｌ字状をした上側挟持部４ｂと、左右の側板２ｄ，２ｅの開口端面と内側面および外側面を覆って取り付けられる側面視略逆Ｕ字状をした左右挟持部４ｄ，４ｅとが一体に設けられている。該シールドケース４はハウジング２に前面側から被さられるようにして取り付けられるが之に限定されるべきではない。
【００３２】
又、該シールドケース４の上側挟持部４ｂと左右の挟持部４ｄ，４ｅには、上板２ｂと左右の側板２ｄ，２ｅに各々形成されている上記係止突起７に対応して、係止孔１０が各々設けられており、シールドケース４がハウジング２に取り付けられた際、係止孔１０に係止突起７が係合し、これによりシールドケース４がハウジング２に安定的に取り付けられる。更に又、モジュール収容部５内において該モジュール収容部５の四隅に、前記左右挟持部４ｄ，４ｅの上下部分に形成した切り込み１１，１１を介して弾性保持片１２，１２，１２，１２が設けられている。各弾性保持片１２の自由端には、相対向している左右の側板２ｄ，２ｅの内壁面に向けて斜めに折り曲げられた係止爪１３が形成されている。一方、前記シールドケース４の左右下端部には前記コンタクト端子３のリード部３ａと平行に固定片１４が突設されている。
【００３３】
又、図５に示すように、モジュール用コネクタ１を使用してプリント配線基板（図示せ
ず）に取り付けられるモジュール１５は、矩形の配線基板１６（係止部を兼ねる）を備え、該配線基板１６の上面にレンズシート１７が固定して配設されている。又、配線基板１６の上面における４つの角部には圧接溝１８が形成され、下側外面にはハウジング２側の嵌合溝６と嵌合される嵌合突起２０が外方外側に向かって突設されている。
【００３４】
図６〜図８は、モジュール用コネクタ１にモジュール１５を取り付けた使用状態を示す。図６〜図８に従ってモジュール１５をモジュール用コネクタ１に取り付けて使用する態様を以下に説明する。先ず、モジュール用コネクタ１にモジュール１５を取り付けるときには、嵌合溝６と嵌合突起２０とを対応させてモジュール１５を配線基板１６側からモジュール収容部５内に差し込む。該モジュール収容部５内にモジュール１５が差し込まれると、配線基板１６の側壁が四隅の弾性保持片１２，１２…に夫々圧接し、該弾性保持片１２の係止爪１３が弾性保持片１２の弾性撓みにより、ハウジング２の切り欠き１９内に向けて一時的に押し込まれて逃がされ、モジュール１５を所定の位置まで差し込むことができる。
【００３５】
又、モジュール１５が所定の位置まで差し込まれて、配線基板１６が係止爪１３の先端部を越えると、該係止爪１３が弾性保持片の弾性復元力でモジュール１５側に向かって戻され、図７に示すようにモジュール１５の外壁面に形成してある４つの各圧接溝１８，１８，１８，１８に各係止爪１３，１３，１３，１３が夫々圧接し、モジュール１５の左右両側面を挟持して該モジュール１５の揺動を抑制するとともに、各係止爪１３の先端部が係止部を兼ねる配線基板１６に係合して該モジュール１５の抜け止めがなされる。斯くして、コンタクト端子３の接点部３ｄはモジュール１５の配線基板１６の底面に設けられている接点部に圧接して電気的に導通し、モジュール用コネクタ１とモジュール１５との間の信号伝送が達成される。
【００３６】
尚、この取付状態では、図８に示すようにコンタクト端子３は本体部３ｂが長孔９内に向けて弾性変形され、接点部３ｄは背板２ａ側から前面側に向かって略鉛直に弾性力を付与してモジュール１５の接点部に圧接した状態になる。而も、各コンタクト端子３，３…から作用される圧接力の位置は、モジュール収容部５の背板中央において横一列に並んだ位置であり、この位置においてモジュール１５は均等な接触力を受けることになる。
【００３７】
尚、コンタクト端子３，３…が、モジュール１５の接点部に対してモジュール収容部５の背面から前面側に向かって略鉛直に、而も、均等な力で負荷する方法としては上記実施の形態の構造に限定されるべきではない。又、各コンタクト端子３，３…はハウジング２にインサートされ、各コンタクト端子３，３…の根部を連結した状態でハウジング２にインサートし、そして、インサートが終了すると前記連結部を切断して除去することにより、コンタクト端子が同時にハウジング２にインサートされることができる。
【００３８】
従って、本実施の形態におけるモジュール用コネクタ１によれば、複数のコンタクト端子３，３…を、モジュール収容部５の左右の側板２ｄ，２ｅの内壁面と平行で、且つ、横一列に同一方向、即ち、背板２ａ側から延設されているのでハウジング２へのインサート成形時に、複数のコンタクト端子３，３…を１つの位置決め具（図示せず）で保持した状態で、インサート成形するのが可能になる。これにより、各コンタクト端子３，３…のハウジングに対する寸法精度が向上し、複数のコンタクト端子３，３…からモジュール１５の接点部に対して均等な弾性接触力を確実に付与することが可能になり、従って、モジュール収容部５内に差し込まれたモジュール１５の傾きやガタツキを抑制して、モジュール用コネクタとしての品質性能の向上を期待することができる。
【００３９】
尚、本発明は、本発明の精神を逸脱しない限り種々の改変を為すことができ、そして、本発明が該改変されたものに及ぶことは当然である。
【図面の簡単な説明】
【００４０】
【図１】本発明の一実施形態として示すモジュール用コネクタの斜視図。
【図２】同上コネクタの正面図。
【図３】図２のＡ−Ａ線矢視断面。
【図４】図２のＢ−Ｂ線矢視断面。
【図５】本発明のモジュール用コネクタに使用されるモジュールの一例を示す電子部品  の斜視図。
【図６】図６に示す電子部品を取り付けた使用状態で示すモジュール用コネクタの正面  図。
【図７】図６のＣ−Ｃ線矢視断面。
【図８】図６のＤ−Ｄ線矢視断面。
【符号の説明】
【００４１】
１            モジュール用コネクタ
２            ハウジング
２ａ          背板
２ｂ          上板
２ｃ          底板
２ｄ          左側板
２ｅ          右側板
３            コンタクト端子
３ａ          リード部
３ｂ          本体部
３ｃ          弾性圧接アーム
３ｄ          接点部
４            シールドケース
５            モジュール収容部
６            嵌合溝
７            係止突起
８            端子溝
１２            弾性保持片
１３            係止爪
１５            モジュール
１６            配線基板
【図１】
2008027875.tif 000003
【図２】
2008027875.tif 000004
【図３】
2008027875.tif 000005
【図４】
2008027875.tif 000006
【図５】
2008027875.tif 000007
【図６】
2008027875.tif 000008
【図７】
2008027875.tif 000009
【図８】
2008027875.tif 000010